(57)【要約】【課題】  エンターテイメント性を一段と向上し得る招待状を提案することにある。【解決手段】  短冊形状に形成した第２の短冊形招待状2Bに結婚披露宴の後援者たる会場提供者のメッセージ文を記載したことにより、招待予定者に対して会場提供者のメッセージ文を読ませる際にも、ライブコンサートのチケットと同じように短冊形状に形成した第２の短冊形招待状2Bを目視させることができるので、ライブコンサートと異なる結婚披露宴であるにも係らず、招待予定者に対して、あたかもライブコンサートに招待されたのと同様の発想を起こさせることができ、かくしてエンターテイメント性を一段と向上し得る。【選択図】        図１
0003103817.tif 000002
【実用新案登録請求の範囲】
【請求項１】
慶事が行われることを招待予定者に通知する慶事用招待状セットにおいて、前記慶事の各種準備を行う後援者によるメッセージ文が記載され、ほぼ短冊形状に形成された短冊形招待状と、ケース本体に前記短冊形招待状を係止させた状態で折り目を介して折返片を折り返すことにより、前記ケース本体及び前記折返片の間に前記短冊形招待状を収納する収納ケースと、前記ケース本体に前記折返片を折り返した二折状態で前記収納ケースを封入する封筒とを備えることを特徴する慶事用招待状セット。
【請求項２】
前記短冊形招待状は、熱可塑性樹脂でなり、かつ透明又は半透明で形成されていることを特徴とする請求項１記載の慶事用招待状セット。
【考案の詳細な説明】
【技術分野】
【０００１】
この考案は、慶事用招待状セットに関し、例えば、結婚式や披露宴（以下、これらをまとめて結婚披露宴と呼ぶ）が行われることを招待予定者に対して通知する結婚披露宴用招待状セットに適用して好適なものである。
【背景技術】
【０００２】
近年、結婚披露宴は、その形式が多様化し、主催者である新郎新婦によって結婚披露宴を行う会場やウエディングスタイルなどが自由に選択され様々な雰囲気を演出し得るようになされており、例えば、ライブコンサートのような雰囲気が演出されることにより、招待者に対して結婚披露宴であるにも係らずあたかもライブコンサートが開催されているかのような発想を抱かせるようにさせるなど、そのエンターテイメント性が向上してきている。
【０００３】
ところで、このような結婚披露宴を行うことを招待予定者に通知する場合には、実開平６−５５７６５号公報のように、主催者たる新郎新婦及び差出人（親）の氏名や、結婚披露宴を開く旨の本文、結婚披露宴の会場及び日時、結婚披露宴の各種準備を行う後援者たる会場提供者からのメッセージ文などが記載された招待状を、封筒に封入した結婚披露宴用招待状セットが用いられている。
【考案の開示】
【考案が解決しようとする課題】
【０００４】
ところが、このような結婚披露宴用招待状セットでは、単に結婚披露宴の開催日時や会場提供者からのメッセージ文などが記載されているに過ぎないため、招待状により結婚披露宴を行うことを通知した時点で招待予定者に対して結婚披露宴がどのような演出で行われるのかを発想させ難いものとなっていた。そして、結婚披露宴のエンターテイメント性を考えると、招待状によっても結婚披露宴がどのような演出で行われるのかを発想させ、そのエンターテイメント性を向上させることが望ましい。
【０００５】
そこで本考案は以上の点を考慮してなされたもので、エンターテイメント性を一段と向上し得る慶事用招待状セットを提案しようとするものである。
【課題を解決するための手段】
【０００６】
本考案の請求項１では、慶事が行われることを招待予定者に通知する慶事用招待状セットにおいて、前記慶事の各種準備を行う後援者によるメッセージ文が記載され、ほぼ短冊形状に形成された短冊形招待状と、ケース本体に前記短冊形招待状を係止させた状態で折り目を介して折返片を折り返すことにより、前記ケース本体及び前記折返片の間に前記短冊形招待状を収納する収納ケースと、前記ケース本体に前記折返片を折り返した二折状態で前記収納ケースを封入する封筒とを備えるようにした。
【０００７】
本考案の請求項２では、前記短冊形招待状は、熱可塑性樹脂でなり、かつ透明又は半透明で形成されているようにした。
【考案の効果】
【０００８】
本考案の請求項１によれば、招待予定者に対して前記慶事の各種準備を行う後援者によるメッセージ文を読ませる際、短冊形状に形成した短冊形招待状を目視させることができるので、ライブコンサートと異なる慶事であるにも係らずあたかもライブコンサートに招待されたのと同様の発想を起こさせることができ、かくしてエンターテイメント性を一段と向上し得る。
【０００９】
本考案の請求項２によれば、短冊形礼招待状を透過表示可能に形成したことにより、表示に変化を与えることができ、かくして招待予定者の興味を惹きつけることができる。また熱可塑性樹脂で形成したことにより、紙製に比べ丈夫なため折れ難く、かつ耐水性があるので損傷を防止できる。
【考案を実施するための最良の形態】
【００１０】
以下、本考案における好ましい実施例について、添付図面を参照しながら説明する。
【００１１】
図１において、１は全体として本考案の結婚披露宴用招待状セットを示し、当該結婚披露宴用招待状セット１は、結婚披露宴の主催者たる新郎新婦によって作成されたメッセージ文が記載され、ほぼ短冊形状でなる第１の短冊形招待状2Aと、結婚披露宴の各種準備を行う後援者により作成されたメッセージ文が記載され、ほぼ短冊形状でなる第２の短冊形招待状2Bと、当該第１及び第２の短冊形招待状2A及び2Bを収納する収納ケース３と、結婚披露宴に関する種々の情報（以下、これを結婚披露宴情報と呼ぶ）が記載されたパンフレット４と、第１及び第２の短冊形招待状2A及び2Bを収納した収納ケース３及びパンフレット４を封止する封筒５とで構成されている。
【００１２】
実際上、この封筒５は、パンフレット４を三つ折りの状態で収納するとともに、収納ケース３を二つ折りの状態で収納し、封筒５の折返片（以下、これを封筒側折返片と呼ぶ）６を折り目７を介して封筒本体８に折り返した後（図中矢印Ａ方向）、シール（図示せず）などを用いて封筒５内部に、第１及び第２の短冊形招待状2A及び2Bと、収納ケース３と、パンフレット４とを封入し得るようになされている。
【００１３】
パンフレット４は、図２に示すように、ほぼ矩形状でなり、縦寸法が封筒５の縦寸法よりも大きく形成されているとともに、横寸法が収納ケース３の横寸法とほぼ同一寸法に形成され、短手方向に沿って２つの折り目9a及び9bが形成されていることにより、封筒５内に収納できる大きさに三つ折りに折り畳めるようになされている。
【００１４】
因みに、パンフレット４には、季節の挨拶及び結婚披露宴を開く旨の本文、主催者たる新郎新婦や差出人（親）の氏名が記載された結婚報告欄10と、結婚披露宴が行われる会場（以下、単に会場という）の写真が掲載された会場イメージ欄11と、結婚披露宴の日時及び出欠席の届出依頼、会場の住所、連絡先が記載された開催案内欄12とによって構成されており、結婚披露宴情報を招待予定者に確実に通知し得るようになされている。
【００１５】
図３（Ａ）に示すように、収納ケース３は、全体としてほぼ矩形状に形成され、やや厚めで適度の剛性を有した紙製でなり、ケース本体13に折り目14を介して折返片15が連設されている。これにより、収納ケース３は、図３（Ｂ）に示すように、折り目14を介してケース本体13に折返片15が折り返されて二つ折り可能に形成されている。
【００１６】
実際上、この折り目14は、収納ケース３の長手方向に沿って直線状に形成されていることにより、ケース本体13に折返片15が折り返されると、収納ケース３を全体としてほぼ短冊形状に形成させ得るようになされている。
【００１７】
これにより収納ケース３は、ケース本体13と折返片15との間に短冊形状の第１及び第２の短冊形招待状2A及び2Bの全体を確実に収納し得るように構成されており、当該第１及び第２の短冊形招待状2A及び2Bの損傷を防止し得るようになされている。
【００１８】
因みに、この実施の形態の場合、ケース本体14から折返片15が開くことにより現れる裏面16には、会場の写真や新郎新婦などがイメージする結婚披露宴に関する絵柄が記載されており、ケース本体13から折返片15が開くことにより絵柄を認識させ、所望のイメージを瞬時に発想させ得る。
【００１９】
図４に示すように、ケース本体13は、斜め方向に対向する２つの角部の近傍に斜めの切り込みでなる係止部17を有し、第１及び第２の短冊形招待状2A及び2Bの角部（この場合、斜め方向に対向する２つの角部）を係止部17に差し込み得ることにより、第１及び第２の短冊形招待状2A及び2Bを着脱自在に係止し得る。
【００２０】
この実施の形態の場合、ケース本体13は、例えば第２の短冊形招待状2Bの正面に第１の短冊形招待状2Aの背面を載置させた状態で係止部17に係止している。
【００２１】
因みに、図５（Ａ）及び（Ｂ）に示すように、第１の短冊形招待状2Aは、半透明の第１の招待状本体20と、不透明の第２の招待状本体21とで構成され、第１の招待状本体20の横寸法W1及び高さ寸歩H1と、第２の招待状本体21の横寸法W2及び高さ寸法H2とがほぼ同一寸法で形成されていることにより、長手方向及び短手方向の各端部がほぼ一致した状態でケース本体13の係止部17に係止し得る。
【００２２】
この実施の形態の場合、第１の短冊形招待状2Aは、半透明の第１の招待状本体20の背面（図示せず）を、第２の招待状本体21の正面21Aに載置させた状態でケース本体13の係止部17に係止されることにより、第２の招待状本体21に記載された情報などが第１の招待状本体20の正面20Aを介して透過表示され、新たなイメージ絵柄を構成し得るようになされている。
【００２３】
実際上、第１の招待状本体20は、半透明の熱可塑性樹脂でなる半透明フィルムで形成されており、例えばオンデマンド方式などによって、その正面20Aの長手方向に沿って主催者からの結婚披露宴情報に関する文字列が横書きで印刷されている。
【００２４】
因みに、この実施の形態の場合、第１の招待状本体20は、結婚披露宴の招待状であることを示す結婚披露宴表示欄22と、季節の挨拶文や結婚披露宴を行う旨などの文字列が記載された招待欄23とを有し、結婚披露宴情報のうち主として新郎新婦に関する情報を提示し得るようになされている。
【００２５】
また、第２の招待状本体21は、やや厚めで適度の剛性を有した紙製でなり、その正面21Aの長手方向に沿って、主催者からの結婚披露宴情報に関する文字列が横書きで印刷されている。
【００２６】
因みに、この実施の形態の場合、第２の招待状本体21は、結婚披露宴が行われる日時及び場所が記載された会場情報欄24と、会場の写真や結婚披露宴のイメージ絵柄など任意の絵柄が掲載されたイメージ欄25とを有し、結婚披露宴情報のうち主として会場に関する情報を提示し得るようになされている。
【００２７】
そして、第２の招待状本体21は、第１の招待状本体20に重ね合わせて係止部17に係止されることにより、イメージ欄25が第１の招待状本体の招待欄23に透過表示され、当該透過表示されたイメージ絵柄を背景として結婚披露宴を行う旨などのメッセージ文が視覚的に認識し得、その結果、新たなイメージ絵柄を構成し得るようになされている。
【００２８】
因みに、この実施の形態の場合、第１の招待状本体20の結婚披露宴表示欄22は、緑などの色彩が付されていることにより、第２の招待状本体21の会場情報欄24が第１の招待状本体20の結婚披露宴表示欄22に透過表示し得ないように形成されている。
【００２９】
かかる構成に加えて、図６に示すように、第２の短冊形招待状2Bは、半透明の熱可塑性樹脂でなる半透明フィルムで形成されており、例えばオンデマンド方式などによって、長手方向に沿って正面31に結婚披露宴の各種準備を行う後援者によるメッセージ文が横書きで印刷されている。
【００３０】
実際上、この第２の短冊形招待状2Bは、結婚披露宴の各種準備を行う後援者（この場合、会場提供者となる△△ホテルの支配人）によるメッセージ文が記載された後援者メッセージ欄32と、当該後援者の氏名が記載された氏名欄33とを有し、結婚披露宴の準備を行う後援者に関する各種情報を提示し得るようになされている。
【００３１】
因みに、この実施の形態の場合、第２の短冊形招待状2Bの氏名欄33には、後援者たる△△ホテルの支配人による直筆サインが記載されていることにより、受け取る側の人に対して、あたかも個別に作成されたものであるとの発想をさせ得る。
【００３２】
また、第２の短冊形招待状2Bは、当該第２の短冊形招待状2Bの横寸法W3が第１及び第２の招待状本体20及び21の横寸法W1及びW2とほぼ同一寸法で形成されているとともに、第２の短冊形招待状2Bの高さ寸歩H3が第１及び第２の招待状本体20及び21の高さ寸歩H1及びH2とほぼ同一寸法で形成されていることにより、長手方向及び短手方向の各端部が第１及び第２の招待状本体20及び21とほぼ一致した状態でケース本体13の係止部17に係止し得るようになされている。
【００３３】
以上の構成において、招待予定者に対して結婚披露宴を通知する際、招待予定者に封筒５を開封させた後、２つ折りの収納ケース３を取り出させ、当該収納ケース３を開かせてケース本体13に係止された短冊形状の第１の短冊形招待状2Aと、短冊形状の第２の短冊形招待状2Bとを目視させることができる。
【００３４】
ところで、エンターテイメント性が求められているライブコンサートでは、慣習上、短冊形状に形成され、かつ長手方向に沿ってライブコンサートに関する情報を示す文字列が横書きされたチケットが、二つ折りの収納ケースに収納されて、ライブコンサートのパンフレットとともに封筒に封入されて購入先から当該チケットの購入者に対して送られている。
【００３５】
従って、結婚披露宴の会場提供者によるメッセージ文が記載された第２の短冊形招待状2Bを、ライブコンサートにおけるチケットの形状と同じような短冊形状に形成するとともに、当該チケットと同じように二つ折りの収納ケース３に収納して封筒５に封入することにより、封筒５を開封して第２の短冊形招待状2Bを確認する招待予定者に対しても、結婚披露宴であるにも係らずあたかもライブコンサートに招待されたのと同様の発想を起こさせることができる。
【００３６】
以上の構成によれば、短冊形状に形成した第２の短冊形招待状2Bに結婚披露宴の後援者たる会場提供者のメッセージ文を記載したことにより、招待予定者に対して会場提供者のメッセージ文を読ませる際にも、ライブコンサートのチケットと同じように短冊形状に形成した第２の短冊形招待状2Bを目視させることができるので、ライブコンサートと異なる結婚披露宴であるにも係らず、招待予定者に対して、あたかもライブコンサートに招待されたのと同様の発想を起こさせることができ、かくしてエンターテイメント性を一段と向上し得る。
【００３７】
また、第２の短冊形招待状2Bを半透明に形成したことにより、透過表示可能とし、表示に変化を与えることができ、かくして招待予定者の興味を惹きつけることができる。また第２の短冊形招待状2Bを熱可塑性樹脂によって形成したことにより、紙製に比べ丈夫なため折れ難く、かつ耐水性があるので損傷を防止できる。
【００３８】
なお、上述した実施の形態においては、熱可塑性樹脂により第２の短冊形招待状2Bを形成するようにした場合について述べたが、本考案はこれに限らず、やや厚めで適度の剛性を有した紙などこの他種々の部材により第２の短冊形招待状2Bを形成するようにしても良い。
【００３９】
また、上述した実施の形態においては、半透明フィルムにより第２の短冊形招待状2Bを形成するようにした場合について述べたが、本考案はこれに限らず、透明フィルムにより第２の短冊形招待状2Bを形成するようにしても良い。
【００４０】
さらに、上述した実施の形態においては、第２の短冊形招待状2Bの長手方向に沿って結婚披露宴の後援者によるメッセージ文を横書きするようにした場合について述べたが、本考案はこれに限らず、第２の短冊形招待状2Bの短手方向に沿ってメッセージ文を縦書き又は横書きるようにしたり、第２の短冊形招待状2Bの長手方向に沿ってメッセージ文を縦書きするようにしたり、或いは第２の短冊形招待状2Bの長手方向又は短手方向に対してメッセージ文を斜め書きするようにしても良い。
【００４１】
さらに、上述した実施の形態においては、本考案による慶事用招待状セットとして、結婚披露宴に用いる結婚披露宴用招待状セット１に適用するようにした場合について述べたが、本考案はこれに限らず、例えば、銀婚式や成人式、入園・入学式、或いは上棟式、創立祝などこの他種々の慶事に用いる慶事用招待状セットに適用するようにしても良い。
【００４２】
さらに、上述した実施の形態においては、慶事の各種準備を行う後援者として、結婚披露宴の会場提供者となるホテルの支配人とした場合について述べたが、本考案はこれに限らず、結婚披露宴の各種準備を行う後援者であれば、例えば結婚披露宴の演出を行うイベント会社や新郎新婦の仲人、友人などこの他種々の者を後援者としても良い。
【図面の簡単な説明】
【００４３】
【図１】本考案による結婚披露宴用招待状セットの全体構成を示す略線図である。
【図２】パンフレットの正面構成を示す略線図である。
【図３】収納ケースの正面構成を示す略線図である。
【図４】収納ケースから第１及び第２の短冊形招待状が脱着する様子を示す正面図である。
【図５】第１及び第２の招待状本体の正面構成を示す略線図である。
【図６】第２の短冊形招待状の正面構成を示す略線図である。
【符号の説明】
【００４４】
１  結婚披露宴用招待状セット（慶事用招待状セット）
2A  第１の短冊形招待状
2B  第２の短冊形招待状（短冊形招待状）
３  収納ケース
５  封筒
13  ケース本体
14  折り目
15  折返片
【図６】
0003103817.tif 000003
【図１】
0003103817.tif 000004
【図２】
0003103817.tif 000005
【図３】
0003103817.tif 000006
【図４】
0003103817.tif 000007
【図５】
0003103817.tif 000008